(57)【特許請求の範囲】
【請求項１】
エンボスピットにより形成されたアドレス情報エリアと、ウォブリングされたグルーブがスパイラル状に形成されてなる記録再生エリアとを有しているディスク状記録媒体に対してデータを記録再生する記録再生装置において、
上記アドレス情報エリアからアドレス情報を読み取るとともに、上記記録再生エリアに対して信号の書き込み及び読み出しを行うヘッド手段と、
上記ヘッド手段によって上記記録再生エリアから読み出された信号からウォブル信号を抽出し、このウォブル信号から同期信号を生成する際に、記録モードから再生モード、又は再生モードから記録モードにレーザパワーが変化するときは同期信号再生用のＰＬＬ回路をホールドするウォブル信号処理手段と
を備えることを特徴とする記録再生装置。
【請求項２】
エンボスピットにより形成されたアドレス情報エリアと、ウォブリングされたグルーブがスパイラル状に形成されてなる記録再生エリアとを有しているディスク状記録媒体に対してデータを記録再生する記録再生方法において、
ヘッド手段が上記記録再生エリアから読み出した信号からウォブル信号を抽出する工程と、
上記ウォブル信号から同期信号を生成する際に、記録モードから再生モード、又は再生モードから記録モードにレーザパワーが変化するときは同期信号再生用のＰＬＬ回路をホールドする工程と
を備えることを特徴とする記録再生方法。
【発明の詳細な説明】
【０００１】
【発明の属する技術分野】
本発明はエンボスピットにより形成されたアドレス情報エリアと、ウォブリングされたグルーブがスパイラル状に形成されてなる記録再生エリアとを有しているディスク状記録媒体に対してデータを記録再生する記録再生装置及び方法に関する。
【０００２】
【従来の技術】
光ディスクにアドレス情報を記録する方法としては、あらかじめ、ディスクを形成する際、ピットでアドレス情報を記録することが知られている。たとえば、記録再生単位となる、ユーザーデータ２０４８（２ｋ）バイトごとに、セクタとしてブロック分けし、セクタの先頭にピットでヘッダ情報を記録し、セクタアドレスとしていた。記録再生装置は、このセクタアドレスを読み取り、所望のセクタアドレスであることを確認したのち、このヘッダにつづく、記録再生エリアにデータを記録再生する。
【０００３】
また、トラッキングを行うため、ディスク上にスパイラル状に形成されたグルーブを一定周波数でウォブルして形成し、このウォブル信号から記録再生装置に同期情報を生成させる光ディスクがある。これにより、記録再生装置側では、光ディスクにおいて欠陥（ディフェクト、defect）が発生し、アドレス情報が欠落しても、同期情報を計数すれば、アドレス位置を補間し、連続記録が可能となる。また、ウォブル信号周波数よりスピンドル（spindle）モータの回転数を制御することもできる。
【０００４】
【発明が解決しようとする課題】
このように、記録再生装置では上記ウォブル信号から同期情報を生成したり、上記ウォブル信号の周波数をスピンドルモータの回転数制御に用いているため、上記ウォブル信号を精度よく検出する必要があるが、上記ウォブル信号の検出は記録動作から再生動作に移るとき等の複雑な動作が重なる場合に困難であった。
【０００５】
たとえば、トラックジャンプのとき、また、再生動作から記録動作に替わるとき、さらにはアドレス情報の形成エリアをヘッドが通過するとき等では、ウォブル信号は途切れたり、乱されたりし、精度のよい同期信号が得られなかった。
【０００６】
本発明は、上記実情に鑑みてなされたものであり、ディスク状記録媒体に対してデータを記録再生するときに、ウォブル信号が途切れたり、乱されたりしたときの信号を除くことができ、精度のよい同期情報が得られる記録再生装置及び方法の提供を目的とする。
【０００７】
【課題を解決するための手段】
本発明に係る記録再生装置は、上記課題を解決するために、エンボスピットにより形成されたアドレス情報エリアと、ウォブリングされたグルーブがスパイラル状に形成されてなる記録再生エリアとを有しているディスク状記録媒体に対してデータを記録再生する記録再生装置において、上記アドレス情報エリアからアドレス情報を読み取るとともに、上記記録再生エリアに対して信号の書き込み及び読み出しを行うヘッド手段と、上記ヘッド手段によって上記記録再生エリアから読み出された信号からウォブル信号を抽出し、このウォブル信号から同期信号を生成する際に、記録モードから再生モード、又は再生モードから記録モードにレーザパワーが変化するときは同期信号再生用のＰＬＬ回路をホールドするウォブル信号処理手段とを備える。
【０００８】
本発明に係る記録再生方法は、上記課題を解決するために、エンボスピットにより形成されたアドレス情報エリアと、ウォブリングされたグルーブがスパイラル状に形成されてなる記録再生エリアとを有しているディスク状記録媒体に対してデータを記録再生する記録再生方法において、ヘッド手段が上記記録再生エリアから読み出した信号からウォブル信号を抽出する工程と、上記ウォブル信号から同期信号を生成する際に、記録モードから再生モード、又は再生モードから記録モードにレーザパワーが変化するときは同期信号再生用のＰＬＬ回路をホールドする工程とを備える。
【０００９】
【発明の実施の形態】
以下、本発明の実施の形態について図面を参照しながら説明する。
この実施の形態は、エンボスピットにより形成されたアドレス情報エリアと、ウォブリングされたグルーブがスパイラル状に形成されてなる記録再生エリアとを有している光ディスクに対してデータを記録再生する光ディスク記録再生装置である。
【００１０】
光ディスク記録再生装置の構成を図１に示す。光ディスク１０上の信号記録面に対して信号の読み取り、及び書き込みのためにレーザ光を適切に照射する光学ヘッド（ＯＰヘッド）１１と、ＯＰヘッド１１からの読み取り信号からウォブル信号を得て同期信号を生成するウォブル（Wobble）回路１２と、ＯＰヘッド１１からの再生信号を得てアドレスをデコードし、アドレス情報をシステムコントローラ（syscon)１３に送るとともに、ウォブル回路１２からの同期信号よりタイミング信号を生成し、各ブロックに送るアドレスデコードタイミングジェネレータ（Adress DEC TG）１４とを備えている。
【００１１】
また、光ディスク記録再生装置は、記録時に記録補償を行い、再生時にフェーズロックロープ（phase-locked loop、ＰＬＬ）等により２値化データ再生を行うリードライト（read writre、ＲＷ）回路１５と、データをディスク１０上の記録再生用データに変復調する変復調回路１６と、エラー訂正エンコード（ENC）、デコード（DEC）を行う誤り訂正符号（error correcting code、ＥＣＣ）回路１７と、上記ＯＰヘッド１１中の２軸アクチュエータのサーボ、及びＯＰヘッド１１のシークを行うサーボ（Servo）回路１８と、光ディスク１０を回転させるスピンドル（Spindle）モータ１９の制御を行うスピンドル（Spindle）回路２０と、ＡＶシステム２１との通信を行うとともに、各ブロックの制御を行うシステムコントローラ１３とを備えている。
【００１２】
ＯＰヘッド１１はレーザダイオードＬＤを含む光学系、再生ＩＶアンプ、２軸アクチュエータ等から構成される。
【００１３】
次に、この光ディスク記録再生装置がデータを記録再生する光ディスク１０について図２及び図３を用いて説明する。
【００１４】
トラック１周は８つのセグメントＳｇ0〜Ｓｇ7からなる。１つのセグメントＳｇiはエンボスピットにより形成されるアドレス情報エリアＡｄaiと、グルーブＧ及びランドＬがスパイラル状に形成されてなる記録再生エリアＲＷaiとから構成される。スパイラル状のグルーブＧ及びランドＬは一定周波数でウォブルされている。このウォブルが同期情報として使われる。
【００１５】
内周から外周にかけて、ディスクの記録再生エリアＲＷaiは、Ｚ0からＺnのn＋１ゾーンに分けられている。最内周のゾーンＺ0では、１つのセグメントＳｇiに４２０波、１周に３３６０波、グルーブはＧウォブルされて形成してある。ゾーンＺ1では、ウォブルは１セグメントＳｇiあたり６波増え４２６波、１周３４０８波形成される。すなわち、ウォブルは、ゾーン番号が外周に１増えるにしたがい、１セグメントＳｇiあたり６、トラック１周あたり４８波増えるようにゾーン分けされている。それぞれのゾーンＺiの最内周のウォブル波長は同じになるように形成されている。ゾーンＺnでは１セグメントあたり４２０＋６n波、トラック１周あたり３３６０＋４８n波、形成されている。
【００１６】
アドレス情報エリアＡｄaは１つのゾーンＺi内ではＣＡＶ状、すなわち放射状に形成されている。グルーブＧに対してのアドレス情報がグルーブヘッダＧＨとして、またランドＬに対してのアドレス情報がランドヘッダＬＨとして書かれている。また、このアドレス情報エリアはそれぞれのゾーンＺiの最内周の密度は同じになるように形成されている。
【００１７】
次に、光ディスク記録再生装置の記録時、再生時の基本的な動作について説明する。先ず、記録の際、ＡＶシステム２１より、記録コマンドと、ＭＰＥＧ２の画像記録ビットストリームが光ディスク記録再生装置に送られる。コマンドはシステムコントローラ１３が受ける。システムコントローラ１３はアドレスDECＴＧ１４よりアドレス情報を得、サーボ回路１８にＯＰヘッド１１をシークさせ、ＯＰヘッド１１を所望のアドレス位置に移動させる。記録ビットストリームはＥＣＣ回路１７でエラー訂正エンコードされる。エラー訂正エンコードされたビットストリームは、変復調回路１６にて記録用データに変調される。ＲＷ回路１５では記録用データに記録補償を行い、アドレスDECＴＧ１４からのタイミングで、ＯＰヘッド１１のＬＤをドライブし記録する。
【００１８】
次に、再生の際、ＡＶシステム２１より、再生コマンドがシステムコントローラ１３に送られる。システムコントローラ１３はアドレスＤＥＣＴＧ１４よりアドレス情報を得、サーボ回路１８にＯＰヘッド１１をシークさせ、ＯＰヘッド１１を所望のアドレス位置に移動させる。ＯＰヘッド１１より再生信号を得、ＲＷ回路１５にてＰＬＬ等により再生データを得る。再生データは変復調回路１６にて復調される。復調されたビットストリームはＥＣＣ１７にてエラー訂正デコードされた後、画像再生ビットストリームとしてＡＶシステム２１に送られる。
【００１９】
上記記録の際、及び再生の際に、ウォブル回路１２は、ＯＰヘッド１１からの読み取り信号からウォブル信号を検出し、このウォブル信号から同期信号を生成し、その同期信号をアドレスDECＴＧ１４に送る。
【００２０】
このウォブル回路１２は、ＯＰヘッド１１によって読み出した信号からウォブル信号を抽出し、このウォブル信号から同期信号を生成するときに、ウォブル信号が正常に得られない部分では同期信号再生用のＰＬＬ回路をホールドする。図４にウォブル回路１２の詳細な構成を示す。
【００２１】
ウォブル信号はいわゆるプシュプル（pp）信号から得られる。pp信号をバンドパスフィルタ（ＢＰＦ）２２を通過させることにより、ウォブル周波数成分をとりだし、ウォブル信号を得る。ウォブル信号はコンパレータ（comparator）２３により２値信号になる。この信号が位相比較器２４に入力するＰＬＬ入力信号である。位相比較器２４ではＰＬＬ入力信号とＰＬＬ基準（リファレンス、reference）信号の位相比較を行い、位相差信号を出力する。位相比較器２４はウォブルイネーブル（wobble enable）信号が"Ｈ"になったときに位相比較を行い、"Ｌ"のときは位相比較出力はホールドされる。位相差信号はローパスフィルタ(ＬＰＦ)２５をへて、ＶＣＯ（voltage controlled oscillator）２６に入力される。ＶＣＯ２６は入力電圧に応じて出力のクロック(clock)周波数を変化する。
【００２２】
クロックの周波数は分周器２７にて分周され、ウォブル信号に対応する周波数のＰＬＬリファレンス信号を生成する。これによりウォブル信号のＰＬＬ入力信号とＰＬＬリファレンス信号との位相差が０になるように位相比較ループ（ＰＬＬ）が形成される。クロックClock信号は同期信号としてアドレスDECＴＧ１４に供給されタイミング信号生成に使われる。
【００２３】
図５に記録時のウォブル（wobble）信号と、このウォブル信号から同期信号を生成するようすを示す。書き込み（write）信号が"Ｈ"のとき記録モードを示す。ウォブル信号は記録時、図のように、再生から記録になるとき、および、記録から再生になるとき、波形を乱される。ＰＬＬ入力信号も波形を乱される。そこで、ウォブルイネーブル（Wobble enable）を、図のように、再生から記録になるとき、および、記録から再生になるとき、"Ｌ"になるようにする。このウォブルイネーブルは、システムコントローラ１３により生成される。
【００２４】
これにより、ウォブル信号が乱されるときはＰＬＬはホールドされ、記録時のウォブルの乱れの影響を除くことができる。
【００２５】
次に、図６にトラックジャンプ時のウォブル信号と、ウォブル信号から同期信号を生成するようすを示す。
【００２６】
図に示すように、プシュプル信号はトラックジャンプの影響を受け、ＰＬＬ入力信号は、十分なウォブルの２値波形を得れない。そこで、ウォブルイネーブル信号を図のように、トラックジャンプエリア（track jump area）で"Ｌ"にすることにより、ＰＬＬはホールドされ、トラックジャンプの影響を除くことができる。
【００２７】
図７にアドレス情報エリアのウォブル信号と、ウォブル信号から同期信号を生成するようすを示す。
【００２８】
図に示すように、アドレス情報エリアでは、ウォブル信号がないので、ＰＬＬ入力信号は、影響を受ける。そこで、ウォブルイネーブル信号を図のように、アドレス情報エリアで"Ｌ"にすることにより、ＰＬＬはホールドされ、アドレス情報エリアの影響を除くことができる。
【００２９】
図８に別のウォブル信号から同期信号を生成するウォブル回路１２の構成を示す。
【００３０】
ウォブル信号はプシュプル（pp）信号から得られる。pp信号をバンドパスフィルタ（ＢＰＦ）２２を通過させることにより、ウォブル周波数成分をとりだし、ウォブル信号を得る。ウォブル信号はコンパレータ（comparator）２３により２値信号になる。この信号はゲート（Gate）２８に入力し、ウォブルイネーブルが"Ｈ"のとき出力し、  "L"のとき出力しない。Gate２８の出力信号が位相比較器２９に入力するpll入力信号である。位相比較器２９ではpll入力信号とpllリファレンス信号の位相比較を行い、位相差信号を出力する。位相差信号はＬＰＦ２５をへて、ＶＣＯ２６に入力される。ＶＣＯ２６は入力電圧に応じて出力のクロック(clock)周波数を変化する。
【００３１】
クロックの周波数は分周器２７にて分周され、ウォブル信号に対応する周波数のpllリファレンス信号を生成する。位相比較器２９はたとえば排他的論理和（エクスクルーシブオア、ＥＯＲ）回路で、ウォブル信号のpll入力信号とpllリファレンス信号との位相差が９０度になるように位相比較ループ（pll）が形成される。Pll入力信号が入力されなくとも位相比較器２９の出力はＬＰＦ２５を通過後０となり、ＰＬＬはホールドされる。Clock信号は同期信号としてタイミング信号生成に使われる。
【００３２】
図９に、図８のブロックを使った場合の、記録時のウォブル信号と、ウォブル信号から同期信号を生成するようすを示す。
【００３３】
書き込み（write）信号が"Ｈ"のとき記録モードを示す。ウォブル信号記録時、図のように、再生から記録になるとき、および、記録から再生になるとき、波形を乱される。そこで、ウォブルイネーブルを、図のように、再生から記録になるとき、および、記録から再生になるとき、"Ｌ"になるようにする。Pll入力信号は図のようにウォブルイネーブル信号が"Ｌ"のときは"Ｌ"になり、pllはホールドされる。記録時のウォブルの乱れの影響を除くことができる。
【００３４】
【発明の効果】
本発明によれば、ウォブル信号が途切れたり、乱されたりしたときの信号を除くことができ、精度のよい同期信号が得られる。
【図面の簡単な説明】
【図１】本発明の実施の形態となる光ディスク記録再生装置の構成を示すブロック図である。
【図２】上記光ディスク記録再生装置がデータを記録再生する光ディスクを説明するための図である。
【図３】上記光ディスクにおける、アドレス情報エリアと、記録再生エリアを示す図である。
【図４】上記光ディスク記録再生装置を構成するウォブル回路の詳細なブロック図である。
【図５】記録時のウォブル信号と、ウォブル信号から同期信号を生成するようすを示す図である。
【図６】トラックジャンプ時のウォブル信号と、ウォブル信号から同期信号を生成するようすを示す図である。
【図７】アドレス情報エリアのウォブル信号と、ウォブル信号から同期信号を生成するようすを示す図である。
【図８】ウォブル信号から同期信号を生成するウォブル回路の他の詳細な構成を示すブロック図である。
【図９】上記図８のブロック図を使った場合の、記録時のウォブル信号と、ウォブル信号から同期信号を生成するようすを示す図である。
【符号の説明】
１０  光ディスク、１１  光学ヘッド、１２  ウォブル回路、１３  システムコントローラ、１４  アドレスデコードタイミングジェネレータ
【図１】
0004211158.tif 000002
【図２】
0004211158.tif 000003
【図３】
0004211158.tif 000004
【図４】
0004211158.tif 000005
【図５】
0004211158.tif 000006
【図６】
0004211158.tif 000007
【図７】
0004211158.tif 000008
【図８】
0004211158.tif 000009
【図９】
0004211158.tif 000010